(57)【要約】【課題】椅子を積み重ねた場合であっても高さを増やすことなく、かつ優れた座り心地を確保し得る座および椅子を提供する。【解決手段】椅子用の座１０であって、下方へ窪んだ凸部１４を有する底部材２０と、凸部１４により画定される空間Ｓに、少なくとも高さ方向の一部が収納された軟質のクッション部と、を備える。【選択図】図４
2018191710.tif 000002
【特許請求の範囲】
【請求項１】
椅子用の座であって、
下方へ窪んだ凸部を有する底部材と、
当該凸部により画定される空間に、少なくとも高さ方向の一部が収納された軟質のクッション部と、
を備える座。
【請求項２】
請求項１に記載の座であって、
前記クッション部が、高さ方向に積み重ねられた第１のクッション材および第２のクッション材とを含み、
前記第２のクッション材の全体が、前記空間に収納され、
前記第１のクッション材が、前記第２のクッション材および前記底部材の上方に配置される座。
【請求項３】
請求項２に記載の座であって、
前記第２のクッション材の硬度と、前記第１のクッション材の硬度が異なる座。
【請求項４】
請求項１に記載の座であって、前記凸部の底面が曲面を構成する座。
【請求項５】
請求項１から４のいずれか１項に記載の座を含む椅子。
【発明の詳細な説明】
【技術分野】
【０００１】
本発明は、座およびそれを用いた椅子に関する。
【背景技術】
【０００２】
従来より、上下に積み重ねて収納することが可能な椅子が提案されている。例えば、椅子の座の上面側の端縁と略同形状の窪み部を座の下面に上方側に窪ませて設け、窪み部は、座の端縁側の最深部から中央側領域に向かって下方傾斜するように形成することが提案されている。構造を複雑にすることなく、下方側の椅子の座の上部に上方側の椅子の座を安定して積み重ねることができる椅子を提供している（特許文献１）。
【先行技術文献】
【特許文献】
【０００３】
【特許文献１】特開２０１６−８６８４０号公報
【発明の概要】
【発明が解決しようとする課題】
【０００４】
しかしながら、積み重ねて収納することが可能な椅子は、積み重ねた場合の収納の効率を重視しており、必ずしもその座り心地は満足し得るレベルには達していない。
【０００５】
本発明は、椅子を積み重ねた場合であっても高さを増やすことなく、部品点数を抑えつつも優れた座り心地を確保し得る座および椅子に関する。
【課題を解決するための手段】
【０００６】
本発明の椅子用の座は、下方へ窪んだ凸部を有する底部材と、当該凸部により画定される空間に、少なくとも高さ方向の一部が収納された軟質のクッション部と、を備える。また、本発明の椅子は、この座を用いたものである。
【発明の効果】
【０００７】
本発明の座および椅子によれば、椅子を積み重ねた場合であっても高さを増やすことなく、優れた座り心地を確保することができる。
【図面の簡単な説明】
【０００８】
【図１】図１は、本発明の椅子の斜視図である。
【図２】図２は、本発明の椅子に適用される座を示し、（ａ）は上方から見た斜視図、（ｂ）は下方から見た斜視図を示す。
【図３】図３は、座の上部に位置する第１のクッション部一部を切り取って。座の内部露出させた状態を示す図である。
【図４】図４は、図２（ａ）のＡ−Ａ線に沿った断面図である。
【図５】図５は、二台の椅子が積み重ねられた状態を示す側面図である。
【発明を実施するための形態】
【０００９】
以下、本発明の実施形態を、図面を参照して詳細に説明する。図１は、本発明の実施形態の椅子１の斜視図である。椅子１は、複数台を上下に積み重ねることが可能な、いわゆるスタック型の椅子である。椅子１は、背３と、背３の前方に設けられた座１０と、背３および座１０の下方に設けられた脚５とを備えている。各部の形状は実施形態の物には限定されない。また、本実施形態の椅子１は、背３の側方に設けられた肘掛７を備えているが、肘掛７は、必須の部材ではない。
【００１０】
図２は、椅子１用の座１０を示し、（ａ）は上方から見た斜視図、（ｂ）は下方から見た斜視図を示す。座１０は、上側における略平面状の座面１１、上側における前部の曲面１２、下側の下面１３とによって囲まれている。下面１３の一部は、下方へ突出した凸部１４を形成している。
【００１１】
図３は、座１０の内部を示す斜視図である。座１０は、硬質の樹脂、金属などにより構成される底部材２０と、第１のクッション材２２と、第２のクッション材２４とを備えている。図３は、底部材２０の上部に位置する第１のクッション材２２の一部を切り取って、座１０の内部を露出させた状態を示している。座１０はこの様な簡易な構成を有しているため、製造が用意であり、製造コストを抑えることが可能である。特に、底部材２０を採用することにより、一般的な座に見られる下側のカバーを省略することが可能となり、部品点数を抑えることが可能となる。
【００１２】
図４は、図２（ａ）のＡ−Ａ線に沿った断面図である。底部材２０の下方へ窪んだ凸部１４は、その内部に空間Ｓを画定し、第２のクッション材２４の全体が、空間Ｓに収納されている。高さ方向に積み重ねられた第１のクッション材２２および第２のクッション材２４が、軟質のクッション部を構成すると把握することができ、この場合、クッション部の少なくとも高さ方向の一部が、空間Ｓに収納されている。第１のクッション材２２は、第２のクッション材２４および底部材２０の上方に配置される。
【００１３】
本実施形態によれば、第１のクッション材２２および第２のクッション材２４を含むクッション部は、所定以上の厚みを確保することが可能となり、快適な座り心地を提供することが可能となる。一方で、クッション部の少なくとも高さ方向の一部（第２のクッション材２４に相当）が、空間Ｓに収納されており、たとえクッション部の厚みが増大しても、座１０の厚みを抑制することが可能である。
【００１４】
第１のクッション材２２は、例えばウレタン等により構成された本体２２ａと、本体２２ａの表面に配置された布材２２ｂとを含む。第２のクッション材２４は、例えば繊維状に形成された樹脂等により構成されている。もちろん、これらの部材の材料の種類は特に限定はされない。例えば、第２のクッション材２４の硬度と、第１のクッション材２２の硬度２２とを異なるものにすることができる。特に、第２のクッション材２４の硬度が、第１のクッション材２２の硬度より大きくなるように設定するのが好ましい。このような構成によれば、より快適な座り心地を提供することが可能となる。
【００１５】
本実施形態では、２つのクッション材の組み合わせを用いたが、組み合わされるクッション材の数は３つ以上であってもよく特に限定はされない。２つまたは３つ以上のクッション材の組み合わせを変えることにより、各クッション材の材料、硬度等を変えることになり、座り心地を容易に調整することができ、より快適な座り心地を追及することが可能となる。
【００１６】
図５は、二台の椅子１、１Ａが高さ方向に積み重ねられた状態を示す側面図である。肘掛７の図示は省略されている。上述した様に、座１０の厚みを抑制しているため、二台の椅子を積み重ねても、積み重ねの高さｄを抑制することが可能となる。
【００１７】
また、領域Ｘにて、上段の椅子１Ａの座１０の凸部１４が、下段の椅子１の座１０の座面１１に接触する。図２（ｂ）にも示すように凸部１４の底面が曲面を構成しているため、積み重ねられても、座面１１が下側に変形するのを抑制することができる。
【００１８】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【産業上の利用可能性】
【００１９】
本発明に係る座および椅子によれば、椅子を積み重ねた場合であっても高さを増やすことなく、かつ優れた座り心地を確保し得る。
【符号の説明】
【００２０】
１      椅子
３      背
５      脚
７      肘掛
１０    座
１４    凸部
２０    底部材
２２    第１のクッション材
２４    第２のクッション材
【図１】
2018191710.tif 000003
【図２】
2018191710.tif 000004
【図３】
2018191710.tif 000005
【図４】
2018191710.tif 000006
【図５】
2018191710.tif 000007